(57)【要約】      （修正有）【課題】紙素材を用いた収納箱において、蓋体の上面全体から箱内部を見ることができ、中身を収納したままの展示にも適した収納箱を提供する。【解決手段】収納箱１０は、箱本体１２と着脱可能な蓋体４０により構成される。箱本体底面には、組み立て可能なスタンド用シートが設けられている。蓋体４０は、上面全体が透明窓４２となっている。透明窓４２は、略正方形の平面部とその周縁に折り目を介して連接された延長部を有する透明部材を、略正方形の枠体５０に、紙製のシートを用いて接着することで形成される。具体的には、シートの中央部５４Ｃを枠体５０に貼り付け、一方の折り返し部５４Ａで枠体縁部を包むように折り返して接着する。その後、透明部材を嵌め込み、他方の折り返し部５４Ｂを折り返して、透明部材の延長部４４Ａ，４４Ｃの内側に接着する。【選択図】図１
0003196913.tif 000002
【実用新案登録請求の範囲】
【請求項１】
箱本体と、該箱本体の開口部に着脱可能な蓋体とからなる収納箱であって、
前記蓋体の上面全体に透明窓が形成されるとともに、
前記透明窓以外の部分を、紙素材によって形成したことを特徴とする収納箱。
【請求項２】
前記蓋体が、
前記箱本体の外周部に着脱可能な枠体と、
前記透明窓に相当する平面部と、該平面部の周縁に折り目を介して連接されており、前記枠体の側面部内側に接着される延長面とを有する透明部材と、
前記枠体と前記透明部材を接着するための紙製シートと、
からなることを特徴とする請求項１記載の収納箱。
【請求項３】
前記紙製シートは、
前記枠体の側面部外側に貼り付けられる第１の部分と、
前記枠体の一方の縁部に沿って所定幅で折り返し可能であって、前記枠体の側面部内側に貼り付けられる第２の部分と、
前記枠体の他方の縁部に沿って所定幅で折り返し可能であって、前記第２の部分が貼り付けられた前記枠体の内側に、該第２の部分の折り返し側に前記平面部が向くように挿入された前記透明部材の延長面に貼り付けられる第３の部分と、
からなることを特徴とする請求項２記載の収納箱。
【請求項４】
前記箱本体の底面に、
前記収納箱を傾けた状態で支持するスタンドを組み立て可能な紙製のスタンド用シート、
を設けたことを特徴とする請求項１〜３のいずれか一項に記載の収納箱。
【考案の詳細な説明】
【技術分野】
【０００１】
本考案は、アクセサリや小物などを収納する収納箱に関するものである。
【背景技術】
【０００２】
従来、アクセサリや小物などを収納する収納箱として、紙素材を用いた貼り箱がある。例えば、下記特許文献１には、蓋体と本体よりなる包み貼り形式で、天板に透窓が穿設され、天板および側板の表面全体に紙が積層され、透窓の縁部で、１８０度折り曲げられ、天板裏面に装着され、天板裏面には、美麗な装飾板を接着した容器が開示されている。しかしながら、当該技術によれば、透窓が装飾板で塞がれているため、蓋を開けなければ、容器内部を見ることができない。
【０００３】
これに対し、下記特許文献２には、開閉蓋を閉じた状態で収納された宝石を上部および前面あるいは側面より全体を見えるように展示や収納保管できる宝石箱が提案されている。当該特許文献２によれば、上部が開口された箱状の宝石箱本体と、この宝石箱本体内に収納された宝石支持溝が形成されたクッション材製の宝石支持マットと、前記宝石箱本体の開口部を開閉する、外宝石箱本体にヒンジ部材を介して取り付けられた上面及び前面あるいは側面部位に透明材を用いて形成された開閉蓋とで宝石箱を構成することとしている。
【先行技術文献】
【特許文献】
【０００４】
【特許文献１】実開昭６２−１１８０１６号公報
【特許文献２】特開２００５−８７４７１号公報
【考案の概要】
【考案が解決しようとする課題】
【０００５】
しかしながら、上述した特許文献１に記載の技術では、仮に、天板の裏面に貼る装飾板を透明にしたとしても、前記装飾板を貼るために透窓の縁部（すなわち、天板の周縁）はある程度の幅が必要であり、天板の全面を透明窓にすることができない。また、前記特許文献２に記載の技術では、宝石箱の上面全体に透明材を用いることで、蓋を開けずに内部を確認することができるが、前記透明材（カバー板）は、カバー板支持部で周縁部が支持されるとともに、接着剤等によって固定される構造となっている。すなわち、前記カバー板支持部が透明材を通して見えてしまうという不都合がある。更に、前記特許文献２に記載の宝石箱は、紙素材で形成されていないため簡易に製作するには不向きである。また、前記特許文献２では、上面以外の部分（前面や側面）にも透明カバーを設けるため、構造が複雑となる。
【０００６】
本考案は、以上のような点に着目したもので、紙素材を用いた収納箱において、蓋体の上面全体から箱内部を見ることができる収納箱を提供することを、その目的とする。他の目的は、前記収納箱に中身を収納したまま展示することができる収納箱を提供することである。
【課題を解決するための手段】
【０００７】
本考案は、箱本体と、該箱本体の開口部に着脱可能な蓋体とからなる収納箱であって、前記蓋体の上面全体に透明窓が形成されるとともに、前記透明窓以外の部分を、紙素材によって形成したことを特徴とする。
【０００８】
主要な形態の一つは、前記蓋体が、前記箱本体の外周部に着脱可能な枠体と、前記透明窓に相当する平面部と、該平面部の周縁に折り目を介して連接されており、前記枠体の側面部内側に接着される延長面とを有する透明部材と、前記枠体と前記透明部材を接着するための紙製シートと、からなることを特徴とする。
【０００９】
他の形態は、前記紙製シートは、前記枠体の側面部外側に貼り付けられる第１の部分と、前記枠体の一方の縁部に沿って所定幅で折り返し可能であって、前記枠体の側面部内側に貼り付けられる第２の部分と、前記枠体の他方の縁部に沿って所定幅で折り返し可能であって、前記第２の部分が貼り付けられた前記枠体の内側に、該第２の部分の折り返し側に前記平面部が向くように挿入された前記透明部材の延長面に貼り付けられる第３の部分と、を有することを特徴とする。
【００１０】
更に他の形態は、前記箱本体の底面に、前記収納箱を傾けた状態で支持するスタンドを組み立て可能な紙製のスタンド用シート、を設けたことを特徴とする。本考案の前記及び他の目的，特徴，利点は、以下の詳細な説明及び添付図面から明瞭になろう。
【考案の効果】
【００１１】
本考案によれば、箱本体と、該箱本体の開口部に着脱可能な蓋体とからなる収納箱において、前記蓋体の上面全体に透明窓を形成するとともに、該透明窓以外の部分を紙素材によって形成することとした。このため、蓋体を外さなくても、収納箱の中を見ることができる。また、箱本体の底面に組み立て式のスタンドを設けることで、収納箱を傾けた状態を維持できるため、展示用の箱としても利用できる。
【図面の簡単な説明】
【００１２】
【図１】本発明の実施例１の収納箱を示す図であり、(A)は箱本体から蓋体を外した状態を示す斜視図，(B)は箱本体に蓋体を嵌めた状態を示す斜視図，(C)は前記(A)の蓋体を＃Ａ−＃Ａに沿って切断し矢印方向に見た断面図である。
【図２】前記実施例１の収納箱のスタンドを示す図であり、(A)はスタンド組立前の状態を箱本体裏面側から見た平面図，(B)は前記スタンドを組み立てた状態を示す斜視図，(C)は前記収納箱を展示する様子を示す側面図である。
【図３】前記実施例１の収納箱の蓋体の製造工程の一例を示す図である。
【図４】本発明の他の実施例を示す図である。
【考案を実施するための形態】
【００１３】
以下、本考案を実施するための最良の形態を、実施例に基づいて詳細に説明する。
【実施例１】
【００１４】
最初に、図１〜図３を参照しながら本考案の実施例１を説明する。図１(A)は本実施例の収納箱を、箱本体と蓋体に分けた状態を示す斜視図，図１(B)は、前記箱本体に蓋体を嵌めた状態を示す斜視図，図１(C)は前記(A)の蓋体を＃Ａ−＃Ａ線に沿って切断し矢印方向に見た断面図である。図２は、本実施例の収納箱のスタンドを示す図であり、(A)はスタンドの組立前の状態を箱本体裏面側から見た平面図，(B)は前記スタンドの組み立て状態を示す斜視図，(C)は前記スタンドを利用して収納箱を展示する様子を示す図である。図３は、本実施例の収納箱の蓋体の製造工程の一例を示す図である。
【００１５】
図１(A)〜(C)に示すように、本実施例の収納箱１０は、箱本体１２と、該箱本体１２の開口部１２Ａに着脱可能な蓋体４０により構成されている。本実施例では、前記箱本体１２及び蓋体４０は、断面略正方形である。前記箱本体１２の底面１２Ｂ側には、縁部１４が設けられている。図示の例では、前記蓋体４０は、前記箱本体１２の高さより若干深く形成されており、前記蓋体４０を箱本体１２に嵌めたときに、該蓋体４０の下縁４０Ｂが、前記箱本体１２の縁部１４に当たる構成となっている。このような収納箱１０は、後述する透明窓４２を構成する部材以外は、紙素材を用いて形成されている。
【００１６】
また、本実施例では、図２(A)及び(B)に示すように、前記箱本体１２の底面１２Ｂには、必要に応じて、収納箱１０を傾けた状態で支持するスタンド２０を組み立てるためのスタンド用シート２２が設けられている。図示の例では、前記スタンド用シート２２は、略平行に形成された一対の折り曲げ部２４Ａ，２４Ｂによって、前記底面１２Ｂに対して起立可能な一対の起立部２６Ａ，２６Ｂと、前記底面１２Ｂに固定される固定部２６Ｃに区分されている。前記起立部２６Ａ，２６Ｂの一方の端部には、前記折り曲げ部２４Ａ，２４Ｂに対して傾斜した辺部２８Ａ，２８Ｂが形成されている。また、前記起立部２６Ａ，２６Ｂの他方の端部には、前記辺部２８Ａ，２８Ｂとは異なる勾配を有する他の辺部３０Ａ，３０Ｂが形成されている。
【００１７】
更に、前記スタンド用シート２２には、前記一対の起立部２６Ａ，２６Ｂ及び固定部２６Ｃに跨るように切れ込み３４が設けられている。該切れ込み３４の内側に前記一対の折り曲げ部２４Ａ，２４Ｂに対して略直交するよう形成された折り曲げ部３３と、前記切れ込み３４によって囲まれる領域が、前記起立部２６Ａ，２６Ｂを支持する支持部３２を形成する。前記切れ込み３４には、前記起立部２６Ａ，２６Ｂ側に突出した溝形状３６Ａ，３６Ｂと、前記支持部３２の内側に向けて凹んだ溝形状３８Ａ，３８Ｂが形成されている。前記スタンド用シート２２は、図２(A)に斜線を付した部分が箱本体底面１２Ｂに接着剤等によって貼り付けられる。
【００１８】
図２(B)に示すように、前記折り曲げ部２４Ａ，２４Ｂに沿って前記スタンド用シート２２を折り曲げ、前記起立部２６Ａ，２６Ｂを前記箱本体底面１２Ｂに対して略直交するように起立させる。また、前記折り曲げ部３３に沿って前記支持部３２を、前記箱本体底面１２Ｂに対して略直交するように起立させる。すると、図２(B)に示すように、前記溝形状３６Ａと溝形状３８Ａが係合し、前記溝形状３６Ｂと溝形状３８Ｂが係合するため、スタンド２０を組み立てた状態で維持することができる。このような箱本体１２Ａは、図２(C)に示すように、前記辺部２８Ａ，２８Ｂが展示台５８側になるように置くことで、箱本体１２Ａを傾けた状態で展示することができる。また、他方の辺部３０Ａ，３０Ｂが陳列台等に接触するように置くことで、緩やかに傾いた状態で展示するようにしてもよい。
【００１９】
次に、前記蓋体４０について説明する。前記蓋体４０は、図１(A)〜(C)に示すように、断面略正方形であって、一方の開口端が透明窓４２により塞がれ、他方の開口した端部側（下縁４０Ｂ側）が、前記箱本体１２に被せたときに、前記縁部１４と接触する。図３も参照して、前記蓋体４０に透明窓４２を設ける方法の一例を説明する。まず、図３(A)及び(B)に示すように、枠体５０と、紙製のシート５４と、透明部材４８を用意する。前記透明部材４８は、前記蓋体４０の透明窓４２に相当する略正方形の平面部と、該平面部の周縁に折り目４６Ａ〜４６Ｄを介して連接された略長方形の延長部４４Ａ〜４４Ｄにより形成されている。該透明部材４８は、例えばプラスチックシート等により形成される。
【００２０】
前記枠体５０は、蓋体４０の枠組みを構成するものであって、前記箱本体１２の内筒１４の外周面に着脱可能に嵌めることができる寸法及び形状に形成されている。該枠体５０は、例えば、所定幅の厚紙等の紙素材によって、側面５２Ａ〜５２Ｄを有する四角形状に形成される。そして、前記透明部材４８の前記平面部（透明窓４２）が前記枠体５０の一方の縁部５０Ａ側の開口を塞ぎ、前記透明部材４８の前記延長部４４Ａ〜４４Ｄが、前記枠体５０の側面部の内側に接着される。
【００２１】
前記シート５４は、前記枠体５０と前記透明部材４４を接着するためのものであって、図３(A)に示すように、前記枠体５０の両縁部５０Ａ，５０Ｂから所定幅の折り曲げ部を確保できる寸法の紙製のシートが用いられる。具体的には、前記シート５４は、前記枠体５０の前記側面５２Ａ〜５２Ｄの外側に貼り付けられる中央部５４Ｃと、前記枠体５０の一方の縁部５０Ａに沿って所定幅で折り返し可能な折り返し部５４Ａと、前記枠体５０の他方の端部５０Ｂに沿って所定幅で折り返し可能な折り返し部５４Ｂとから構成されている。
【００２２】
このようなシート５４の前記中央部５４Ｃを、図３(A)に示すように、前記枠体５０の側面部５２Ａ〜５２Ｄの外側に、図示しない接着剤等により貼り付ける。次に、前記シート５４の一方の折り返し部５４Ａを、前記枠体５０の一方の縁部５０Ａに沿って折り曲げ、図示しない接着剤等により、前記枠体５０の側面部５２Ａ〜５２Ｄの内側に貼り付ける。その後、図３(B)及び(C)に示すように、前記透明部材４８を、前記平面部が前記枠体５０の一方の縁部５０Ａ側になるように、前記延長部４４Ａ〜４４Ｄを枠体５０の側面部の内側に挿入する。そして、図３(D)に示すように、前記シート５４の前記他方の折り返し部５４Ｂを、前記枠体５０の他方の縁部５０Ｂに沿って折り返して、図示しない接着剤等により前記透明部材４８の延長部４４Ａ〜４４Ｄの内側に貼り付ける。これにより、図１(C)の断面に示すように、前記蓋体４０は、前記中央部５４Ｃと前記側面部５２Ａ〜５２Ｄの外側との接着部Ｐ１と、前記折り返し部５４Ａと前記側面部５２Ａ〜５２Ｄの内側との接着部Ｐ２と、前記折り返し部５４Ｂと前記透明部材４８の延長部４４Ａ〜４４Ｄの内側部分との接着部Ｐ３を有することになる。
【００２３】
以上のようにして形成された蓋体４０は、上面部の全体が透明なプラスチックシート等からなる透明窓４２となっているため、蓋体４０を開けることなく、収納箱１０の中身を見ることができる。また、箱本体底面１２Ｂに設けたスタンド用シート２２を組み立てることにより、図２(C)に示すように、収納箱１０を傾けた状態で支持することができるため、収納箱１０に中身を収納したまま（蓋体４０を付けたまま）、展示することも可能となる。
【００２４】
このように、実施例１によれば、次のような効果がある。
(1)箱本体１２と、該箱本体１２の開口部１２Ａに着脱可能な蓋体４０とからなる収納箱１０において、前記蓋体１２の上面全体が透明窓４２となっているため、蓋体４０を外さなくても、収納箱１０の中を見ることができる。
(2)前記透明窓４２に相当する平面部と、その周縁に折り目４６Ａ〜４６Ｄを介して連接された延長部４４Ａ〜４４Ｄからなる透明部材４８を、前記平面部で前記枠体５０の一方の縁部５０Ａ側の開口を塞ぐように接着するにあたり、前記枠体５０の両縁部５０Ａ，５０Ｂに沿って折り返し可能な紙製のシート５４を用いることとした。このため、枠体５０の内側に前記透明部材４８を固定するための突出部分や段差を設けることなく、蓋体４０の上面全体を透明窓４２にすることができる。
(3)前記箱本体底面１２Ｂに、組み立て可能なスタンド用シート２２を設けることとしたため、箱本体１２を傾けた状態で支持することが可能となり、収納箱１０に中身を収納したまま（すなわち、蓋本体４０を外さないまま）、展示することができる。また、蓋体４０を付けたまま展示できるため、中身に汚れ等が付着しにくいという利点もある。
【００２５】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例１では、前記収納箱１０は、断面略正方形としたが、これも一例であり、例えば、図４(A)及び(B)に示す収納箱６０のように、箱本体６２及び蓋体６４ともに断面略六角形状とし、該蓋体６４の上面全体に透明窓６６を設けるようにしてもよい。前記透明窓６６は、前記実施例１と同様に、透明部材を紙製のシート７０を用いて接着することで設けられる。図示の例では、前記箱本体６２は、内箱６２Ａとその半分程度の高さの外箱６２Ｂからなる二重の構造となっており、前記外箱６２Ｂの上縁６３が、前記蓋体６４の下縁６４Ａを受ける、いわゆる印籠式となっている。また、四角形や六角形以外の多角形状とすることや、星形等の他の形状にすることを妨げるものではない。
(2)前記実施例１では、箱本体１２の底面１２Ｂ側に縁部１４を設け、蓋体４０の下縁４０Ａを前記縁部１４を受けることとしたが、これも一例であり、図４(D)に示す収納箱８０のように、蓋体８４が、箱本体８２の側面の上半分程度を覆い、該蓋体８４の上面全体に透明窓８６を設ける形態としてもよい。
【００２６】
(3)前記実施例１では、箱本体底面１２Ａにスタンド用シート２２を設けることとしたが、これも一例であり、スタンド用シート２２は必要に応じて設ければよい。また、前記実施例１によるスタンド機構も一例であり、同様の効果を奏する範囲内で適宜設計変更可能である。前記図４(A)〜(D)に示した収納用箱６０，８０についても同様である。
(4)前記実施例１で示した蓋体４０の製造方法も一例であり、同様の効果を奏する範囲内で適宜変更可能である。
(5)本考案の収納箱は、アクセサリなどの収納が好適な使用例であるが、他の小物などを収納するための箱として使用することを妨げるものではない。また、もっぱら展示用に使用することを妨げるものではない。
【産業上の利用可能性】
【００２７】
本考案によれば、箱本体と、該箱本体の開口部に着脱可能な蓋体とからなる収納箱において、前記蓋体の上面全体に透明窓を形成するとともに、該透明窓以外の部分を紙素材によって形成することとした。このため、蓋体を外さなくても、収納箱の中を見ることができるようになり、アクセサリ等を収納するための収納箱の用途に適用できる。特に、箱本体の底面に組み立て式のスタンドを設けることで、収納箱を傾けた状態で保持できるため、展示用の箱を兼ねる場合に好適である。
【符号の説明】
【００２８】
１０：収納箱
１２：箱本体
１２Ａ：開口部
１２Ｂ：底面
１４：縁部
２０：スタンド
２２：スタンド用シート
２４Ａ，２４Ｂ：折り曲げ部
２６Ａ，２６Ｂ：起立部
２６Ｃ：固定部
２８Ａ，２８Ｂ，３０Ａ，３０Ｂ：辺部
３２：支持部
３３：折り曲げ部
３４：切れ込み
３６Ａ，３６Ｂ，３８Ａ，３８Ｂ：溝形状
４０：蓋体
４０Ａ：上縁
４０Ｂ：下縁
４２：透明窓
４４Ａ〜４４Ｄ：延長部
４６Ａ〜４６Ｄ：折り目
４８：透明部材
５０：枠体
５０Ａ，５０Ｂ：縁部
５２Ａ〜５２Ｄ：側面
５４：シート
５４Ａ，５４Ｂ：折り返し部
５４Ｃ：中央部
５８：展示台
６０：収納箱
６２：箱本体
６２Ａ：内箱
６２Ｂ：外箱
６２Ｃ：底面
６３：上縁
６４：蓋体
６４Ａ：下縁
６６：透明窓
７０：シート
８０：収納箱
８２：箱本体
８４：蓋体
８６：透明窓
Ｐ１〜Ｐ３：接着部
【図１】
0003196913.tif 000003
【図２】
0003196913.tif 000004
【図３】
0003196913.tif 000005
【図４】
0003196913.tif 000006